(57)【要約】【課題】ウエスコポンプと、円筒状の磁極部材が回転軸に同軸に結合されて成るロータを有するブラシレスモータとが、回転軸の一端部をウエスコポンプのインペラに相対回転不能に連結させてハウジング内に収容される燃料供給装置において、ウエスコポンプからの燃料をハウジング内で流通させる通路を拡大する。【解決手段】回転軸２５が、インペラに相対回転不能に連結されるようにして回転軸２５の一端部に配置されるインペラ連結部２５ａと、磁極部材２４の内面形状とは異なる外面形状を有して磁極部材２４に同軸に挿入されるとともに磁極部材２４の内面との間にウエスコポンプからの燃料を流通させる通路３７を形成する磁極部材挿入部２５ｂとを一体に有するように形成され、回転軸２５のうち磁極部材挿入部２５ｂの軸方向両側に、当該回転軸２５を回転自在に支持するための軸受に対応した軸受負荷領域Ａ１，Ａ２がそれぞれ設定される。【選択図】      図２
2018044520.tif 000002
【特許請求の範囲】
【請求項１】
ポンプケース（１１）内のポンプ室（１０）にインペラ（９）が収容されて成るウエスコポンプ（５）と、円筒状の磁極部材（２４）が回転軸（２５）に同軸にかつ相対回転不能に連結されて成るロータ（１９）を有するブラシレスモータ（６）とが、前記回転軸（２５）の一端部を前記インペラ（９）に相対回転不能に連結させて円筒状のハウジング（７）内に収容され、前記ウエスコポンプ（５）から送出される燃料の前記ハウジング（７）内での流通を可能とした燃料供給装置において、前記回転軸（２５）が、前記インペラ（９）の中心部に相対回転不能に連結されるようにして前記回転軸（２５）の一端部に配置されるインペラ連結部（２５ａ）と、前記磁極部材（２４）の内面形状とは異なる外面形状を有して前記磁極部材（２４）に同軸に挿入されるとともに前記磁極部材（２４）の内面との間に前記ウエスコポンプ（５）からの燃料を流通させる通路（３７）を形成する磁極部材挿入部（２５ｂ）とを一体に有するように形成され、前記磁極部材挿入部（２５ｂ）の軸方向両側に、前記回転軸（２５）を回転自在に支持するための軸受（２６，２８）に対応した軸受負荷領域（Ａ１，Ａ２）がそれぞれ設定されることを特徴とする燃料供給装置。
【請求項２】
前記一対の軸受負荷領域（Ａ１，Ａ２）の一方（Ａ１）に配置される横断面円形の軸受負荷部（２５ｃ）が、前記インペラ連結部（２５ａ）に隣接しつつ一体に連なるようにして前記回転軸（２５）に一体に形成されることを特徴とする請求項１に記載の燃料供給装置。
【請求項３】
前記一対の軸受負荷領域（Ａ１，Ａ２）の他方（Ａ２）に配置される軸受負荷部材（４１）が、前記磁極部材（２４）の前記インペラ（９）とは反対側の端面に当接するフランジ部（４１ａ）を有して前記回転軸（２５）とは別体に形成されるとともに当該回転軸（２５）の他端部に嵌合、固定され、前記通路（３７）に通じる切欠き（４２）が前記フランジ部（４１ａ）に形成されることを特徴とする請求項２に記載の燃料供給装置。
【請求項４】
前記インペラ連結部（２５ａ）が、前記回転軸（２５）の軸線に沿う方向に延びる平坦面（３６）を外周の一部に有して非円形の断面形状を有するように形成され、前記切欠き（４２）が、前記インペラ連結部（２５ａ）に対する回転バランスが得られる周方向位置で前記フランジ部（４１ａ）に形成されることを特徴とする請求項３に記載の燃料供給装置。
【請求項５】
前記回転軸（２５）が、前記磁極部材（２４）の内周直径よりも小さな外径を有して前記インペラ連結部（２５ａ）とは反対側で前記磁極部材挿入部（２５ｂ）に同軸に連なる圧入軸部（２５ｆ）を一体に有し、前記軸受負荷部材（４１）に前記圧入軸部（２５ｆ）が圧入されることを特徴とする請求項３または４に記載の燃料供給装置。
【請求項６】
前記磁極部材挿入部（２５ｂ）が、前記磁極部材（２４）の一直径線（Ｌ）に沿う方向を長辺とする長方形の横断面形状を有するように形成されることを特徴とする請求項１〜５のいずれか１項に記載の燃料供給装置。
【請求項７】
前記磁極部材（２４）に、前記長方形の短辺に対応した幅を有しつつ前記一直径線（Ｌ）に沿うキー溝（３９）が形成され、前記磁極部材挿入部（２５ｂ）に、前記キー溝（３９）に嵌合するキー部（２５ｄ）が一体に設けられることを特徴とする請求項６に記載の燃料供給装置。
【請求項８】
前記長方形の短辺に対応する部分で前記磁極部材挿入部（２５ｂ）の外周に綾目加工による凹凸部（３８）が形成され、少なくとも一部を樹脂製とした前記磁極部材（２４）が前記磁極部材挿入部（２５ｂ）のインサート成形で形成されることを特徴とする請求項６または７に記載の燃料供給装置。
【発明の詳細な説明】
【技術分野】
【０００１】
本発明は、ポンプケース内のポンプ室にインペラが収容されて成るウエスコポンプと、円筒状の磁極部材が回転軸に同軸にかつ相対回転不能に連結されて成るロータを有するブラシレスモータとが、前記回転軸の一端部を前記インペラに相対回転不能に連結させて円筒状のハウジング内に収容され、前記ウエスコポンプから送出される燃料の前記ハウジング内での流通を可能とした燃料供給装置に関する。
【背景技術】
【０００２】
ウエスコポンプと、そのウエスコポンプを駆動するブラシレスモータとが円筒状のハウジング内に収容され、ブラシレスモータにおけるステータの内周およびロータの外周間に、ウエスコポンプから導出される燃料を導く通路が形成されるようにした燃料供給装置が、特許文献１で知られている。
【先行技術文献】
【特許文献】
【０００３】
【特許文献１】特開２００７−１１６７６７号公報
【発明の概要】
【発明が解決しようとする課題】
【０００４】
上記特許文献１で開示される燃料供給装置では、ウエスコポンプからの燃料を流通させる通路が、ブラシレスモータのステータの内周およびロータの外周間だけに形成されるので、圧力損失が比較的大きく、通路の拡大が課題となっている。
【０００５】
本発明は、かかる事情に鑑みてなされたものであり、ウエスコポンプから送出される燃料をハウジング内で流通させる通路の拡大を可能とした燃料供給装置を提供することを目的とする。
【課題を解決するための手段】
【０００６】
上記目的を達成するために、本発明は、ポンプケース内のポンプ室にインペラが収容されて成るウエスコポンプと、円筒状の磁極部材が回転軸に同軸にかつ相対回転不能に連結されて成るロータを有するブラシレスモータとが、前記回転軸の一端部を前記インペラに相対回転不能に連結させて円筒状のハウジング内に収容され、前記ウエスコポンプから送出される燃料の前記ハウジング内での流通を可能とした燃料供給装置において、前記回転軸が、前記インペラの中心部に相対回転不能に連結されるようにして前記回転軸の一端部に配置されるインペラ連結部と、前記磁極部材の内面形状とは異なる外面形状を有して前記磁極部材に同軸に挿入されるとともに前記磁極部材の内面との間に前記ウエスコポンプからの燃料を流通させる通路を形成する磁極部材挿入部とを一体に有するように形成され、前記磁極部材挿入部の軸方向両側に、前記回転軸を回転自在に支持するための軸受に対応した軸受負荷領域がそれぞれ設定されることを第１の特徴とする。
【０００７】
また本発明は、第１の特徴の構成に加えて、前記一対の軸受負荷領域の一方に配置される横断面円形の軸受負荷部が、前記インペラ連結部に隣接しつつ一体に連なるようにして前記回転軸に一体に形成されることを第２の特徴とする。
【０００８】
本発明は、第２の特徴の構成に加えて、前記一対の軸受負荷領域の他方に配置される軸受負荷部材が、前記磁極部材の前記インペラとは反対側の端面に当接するフランジ部を有して前記回転軸とは別体に形成されるとともに当該回転軸の他端部に嵌合、固定され、前記通路に通じる切欠きが前記フランジ部に形成されることを第３の特徴とする。
【０００９】
本発明は、第３の特徴の構成に加えて、前記インペラ連結部が、前記回転軸の軸線に沿う方向に延びる平坦面を外周の一部に有して非円形の断面形状を有するように形成され、前記切欠きが、前記インペラ連結部に対する回転バランスが得られる周方向位置で前記フランジ部に形成されることを第４の特徴とする。
【００１０】
本発明は、第３または第４の特徴の構成に加えて、前記回転軸が、前記磁極部材の内周直径よりも小さな外径を有して前記インペラ連結部とは反対側で前記磁極部材挿入部に同軸に連なる圧入軸部を一体に有し、前記軸受負荷部材に前記圧入軸部が圧入されることを第５の特徴とする。
【００１１】
本発明は、第１〜第５の特徴の構成のいずれかに加えて、前記磁極部材挿入部が、前記磁極部材の一直径線に沿う方向を長辺とする長方形の横断面形状を有するように形成されることを第６の特徴とする。
【００１２】
本発明は、第６の特徴の構成に加えて、前記磁極部材に、前記長方形の短辺に対応した幅を有しつつ前記一直径線に沿うキー溝が形成され、前記磁極部材挿入部に、前記キー溝に嵌合するキー部が一体に設けられることを第７の特徴とする。
【００１３】
さらに本発明は、第６または第７の特徴の構成に加えて、前記長方形の短辺に対応する部分で前記磁極部材挿入部の外周に綾目加工による凹凸部が形成され、少なくとも一部を樹脂製とした前記磁極部材が前記磁極部材挿入部のインサート成形で形成されることを第８の特徴とする。
【００１４】
なお実施の形態の第２の通路３７が本発明の通路に対応する。
【発明の効果】
【００１５】
本発明の第１の特徴によれば、回転軸が、磁極部材の内面形状とは異なる外面形状を有する磁極部材挿入部を有し、その磁極部材挿入部を磁極部材に同軸に挿入することで磁極部材および回転軸間に、ウエスコポンプからの燃料を流通させる通路が形成されるので、ハウジング内を燃料が流通する通路を回転軸および磁極部材間に容易に形成してハウジング内の通路拡大に寄与することができる。
【００１６】
また本発明の第２の特徴によれば、一対の軸受負荷領域の一方に配置されるようにして回転軸に設けられる横断面円形の軸受負荷部がインペラ連結部に隣接して一体に連なるので、インペラと、回転軸のインペラ側の回転支持部とを軸方向に近接させて燃料供給装置の軸方向コンパクト化に寄与することができる。
【００１７】
本発明の第３の特徴によれば、回転軸とは別体に形成され軸受負荷部材が、インペラとは反対側で回転軸の他端部に嵌合、固定され、その軸受負荷部材が有するフランジ部がインペラとは反対側で磁極部材の端面に当接するので、磁極部材が回転軸に同軸にかつ相対回転不能に連結されて成るロータの製作が容易となるとともに、磁極部材の回転軸に対する軸方向位置決めができ、回転軸および磁極部材間に形成される通路を流通する燃料がフランジ部を通過することもできる。
【００１８】
本発明の第４の特徴によれば、フランジ部に形成される切欠きの周方向位置を定めてインペラ連結部に対する回転バランスを達成することができる。
【００１９】
本発明の第５の特徴によれば、磁極部材の内周直径よりも小さな直径を有する圧入軸部を、回転軸がインペラ連結部とは反対側に一体に有し、その圧入軸部が軸受負荷部材に圧入されるので、磁極部材が回転軸に同軸にかつ相対回転不能に連結されて成るロータの製作が容易となる。
【００２０】
本発明の第６の特徴によれば、磁極部材挿入部が磁極部材の一直径線に沿う方向を長辺とする長方形の横断面形状を有するので、磁極部材および回転軸間に通路を形成することが容易となる。
【００２１】
本発明の第７の特徴によれば、磁極部材に設けられるキー溝に磁極部材挿入部のキーが嵌合するので、回転軸および磁極部材の相対回転を容易に阻止することができる。
【００２２】
さらに本発明の第８の特徴によれば、磁極部材挿入部の外周に綾目加工によって凹凸部が形成され、磁極部材が磁極部材挿入部のインサート成形で形成されるので、回転軸および磁極部材の相対回転および軸方向相対移動を容易に阻止することができる。
【図面の簡単な説明】
【００２３】
【図１】燃料供給装置の縦断面図である。
【図２】ロータを図１と同一方向から見た縦断側面図である。
【図３】図２の３−３線断面図である。
【図４】図２の４Ａ−４Ａ線、４Ｂー４Ｂ線および４Ｃ−４Ｃ線に沿う断面を（Ａ）、（Ｂ），（Ｃ）でそれぞれ示す図である。
【発明を実施するための形態】
【００２４】
本発明の実施の形態について添付の図１〜図４を参照しながら説明すると、先ず図１において、この液体供給装置は、たとえば車載エンジンに燃料を供給するための燃料供給装置であり、ウエスコポンプ５と、該ウエスコポンプ５を駆動する３相のブラシレスモータ６とが、中空の円筒状である共通のハウジング７に内蔵、結合されて成る。
【００２５】
前記ウエスコポンプ５は、放射状の多数の溝８を外周に有するインペラ９と、そのインペラ９の外周を臨ませるようにして円弧状に延びるポンプ室１０を有して前記インペラ９を回転可能に収納するポンプケース１１とを備える。前記ポンプケース１１は、外側ケース半体１２と、内側ケース半体１３とで分割構成されており、外側ケース半体１２および内側ケース半体１３間に前記インペラ９が介装されるとともに前記ポンプ室１０が画成される。
【００２６】
前記ポンプケース１１は、軸方向外方に臨んで前記ハウジング７の内面に形成される環状段部７ａと、前記ハウジング７の一端部に形成される第１のかしめ加工部７ｂとで挟持されるようにして、前記ハウジング７の一端部に収容される。
【００２７】
前記ブラシレスモータ６は、ステータコア１５ならびにボビン１７を介して前記ステータコア１５に巻装されるコイル１６で構成されるステータ１８と、そのステータ１８内に配置されるロータ１９とを有する。
【００２８】
また前記ステータ１８の軸方向両端部は樹脂製の第１および第２被覆部２１，２２で覆われており、前記ブラシレスモータ６は、前記ウエスコポンプ５の前記ポンプケース１１と、第１被覆部２１との間に円板状のスペーサ２３を介在させて前記ハウジング７に挿入され、前記ハウジング７の他端部に形成される第２のかしめ加工部７ｃを第２被覆部２２に係合することで、前記ブラシレスモータ６が前記ハウジング７に内蔵される。
【００２９】
前記ロータ１９は、周方向に複数の磁極に着磁される円筒状の磁極部材２４が回転軸２５に同軸にかつ相対回転不能に連結されて成る。前記回転軸２５の一端部は、前記スペーサ２３を貫通し、前記ポンプケース１１との間に第１の滑り軸受２６を介在させて前記ポンプケース１１内に突入される。前記ポンプケース１１内で前記回転軸２５にインペラ９が相対回転不能に連結されるものであり、この実施の形態では、前記回転軸２５は、前記インペラ９の中央部に設けられた非円形の連結孔２７に挿入されるインペラ連結部２５ａを軸方向一端部に有するように形成される。しかも前記インペラ連結部２５ａは、前記連結孔２７の断面形状に対応した断面形状を有するように形成されるものであり、この実施の形態では、前記回転軸２５の軸線に沿う方向に延びる平坦面３６を外周の一部に有するように前記インペラ連結部２５ａが形成される。前記インペラ連結部２５ａが前記連結孔２７に挿入されることで、前記インペラ９が前記回転軸２５の多少の傾きを許す程度の遊びを持って前記回転軸２５に相対回転不能に連結され、前記ポンプケース１１の前記外側ケース半体１２および前記内側ケース半体１３で前記インペラ９の軸方向に沿う移動が阻止される。
【００３０】
前記ポンプケース１１の前記内側ケース半体１３には、前記回転軸２５を同軸に囲繞する円筒状の軸受ハウジング１３ａが一体に設けられており、その軸受ハウジング１３ａおよび前記回転軸２５間に、第１の滑り軸受２６が介装される。また前記回転軸２５の他端部は、第２被覆部２２に第２の滑り軸受２８を介して回転自在に支持される。
【００３１】
前記ポンプケース１１における前記外側ケース半体１２には、前記ポンプ室１０の周方向一端部に通じる吸込ポート２９が形成され、前記内側ケース半体１３には、前記ポンプ室１０の周方向他端部に通じる吐出ポート３０が形成される。しかも外側ケース半体１２には、前記吸込ポート２９に直接連通する円筒状の吸込管１２ａが外向きに一体に突設されるとともに、ポンプケース１１内でのポンプ作用に伴って生じた気泡を排出するための脱気孔３１が形成される。
【００３２】
前記ブラシレスモータ６における前記ロータ１９および前記ステータ１８間には、前記吐出ポートに通じる第１の通路３２が形成され、第２被覆部２２には、前記第１の通路３２に通じる燃料出口室３３が形成される。しかも第２被覆部２２には、ポンプ作動時に高圧燃料を吐出するための円筒状の吐出管２２ａが一体に突設され、その吐出管２２ａ内には、前記燃料出口室３３から前記吐出管２２ａの先端の燃料吐出口３４側へのみ燃料の流動を許容する逆流防止用のチェック弁３５が収納される。
【００３３】
図２〜図４を併せて参照して、前記回転軸２５は、前記インペラ９の中心部に相対回転不能に連結されるようにして前記回転軸２５の一端部に配置される前記インペラ連結部２５ａと、前記磁極部材２４の内面形状とは異なる外面形状を有して前記磁極部材２４に同軸に挿入されるとともに前記磁極部材２４の内面との間に前記ウエスコポンプ５からの燃料を流通させる第２の通路３７を形成する磁極部材挿入部２５ｂとを一体に有するように形成される。
【００３４】
前記磁極部材挿入部２５ｂは、前記磁極部材２４の一直径線Ｌに沿う方向を長辺とする長方形の横断面形状を有するように形成されており、第２の通路３７は、前記長方形の長辺に対応する部分の前記磁極部材挿入部２５ｂの外面と、前記磁極部材２４の内面との間に形成される。
【００３５】
また前記長方形の短辺に対応する部分で前記磁極部材挿入部２５ｂの外周には、チェッカリング加工やローレット加工等の綾目加工による凹凸部３８が形成されており、少なくとも一部を樹脂製とした前記磁極部材２４が前記磁極部材挿入部２５ｂのインサート成形で形成されるものであり、この実施の形態では、図示しない金型のキャビティ内に前記回転軸２５の前記磁極部材挿入部２５ｂを挿入した状態で、加熱下で南下流動可能な樹脂製磁石剤の射出もしくは圧縮成形することで前記磁極部材２４が形成される。
【００３６】
ところで前記磁極部材挿入部２５ｂの軸方向両側には、当該回転軸２５を回転自在に支持するための軸受に対応した軸受負荷領域Ａ１，Ａ２がそれぞれ設定されており、この実施の形態では、第１の滑り軸受２６に対応した第１の軸受負荷領域Ａ１と、第２の滑り軸受２８に対応した第２の軸受負荷領域Ａ２とが、前記磁極部材挿入部２５ｂの軸方向両側に設定される。
【００３７】
第１の軸受負荷領域Ａ１で前記回転軸２５には、横断面円形の軸受負荷部２５ｃが、前記インペラ連結部２５ａに隣接しつつ一体に連なるようにして一体に形成される。
【００３８】
前記磁極部材２４の前記インペラ連結部２５ａ側の端部には、磁極部材挿入部２５ｂの長辺方向に沿う前記磁極部材２４の前記一直径線Ｌに沿う一対のキー溝３９が、前記磁極部材挿入部２５ｂの短辺に対応した幅を有するようにして形成され、前記磁極部材挿入部２５ｂの前記軸受負荷部２５ｃ側の端部には、前記キー溝３９に嵌合するキー部２５ｄが一体に設けられる。
【００３９】
前記軸受負荷部２５ｃは前記回転軸２５の軸線に沿う方向で前記キー部２５ｄとの間に間隔をあけた位置に配置されるものであり、前記軸受負荷部２５ｃおよび前記キー部２５ｄ間で前記回転軸２５には、台形状の補強部２５ｅが一体に形成される。
【００４０】
前記回転軸２５の他端部には、前記回転軸２５とは別体に形成される有底円筒状の軸受負荷部材４１が、第２の軸受負荷領域Ａ２に一部が配置されるようにしつつ第２の滑り軸受２８および前記回転軸２５間に配置されるようにして嵌合、固定され、この軸受負荷部材４１は、前記磁極部材２５ｂの前記インペラ９とは反対側の端面に当接するフランジ部４１ａを有する。
【００４１】
前記回転軸２５は、前記磁極部材２４の内周直径よりも小さな外径を有して前記インペラ連結部２５ａとは反対側で前記磁極部材挿入部２５ｂに同軸に連なる圧入軸部２５ｆを当該回転軸２５の他端に一体に有し、前記軸受負荷部材４１に前記圧入軸部２５ｆが圧入される。
【００４２】
しかも前記軸受負荷部材４１の前記フランジ部４１ａには、前記第２の通路３７に通じる切欠き４２が形成されており、この切欠き４２は、前記インペラ連結部２５ａに対する回転バランスが得られる周方向位置で前記フランジ部４２に形成される。すなわち前記インペラ連結部２５は、その周方向の一部を切欠いて前記平坦面３６を外周の一部に有するように形成されるものであり、前記切欠き４２は、前記回転軸２５の軸線に直交する平面への投影図上で、前記平坦面３６とは前記回転軸２５の軸線に対して対称位置に在るようにして前記フランジ部４１ａに形成される。
【００４３】
次にこの実施の形態の作用について説明すると、回転軸２５が、インペラ９の中心部に相対回転不能に連結されるようにして回転軸２５の一端部に配置されるインペラ連結部２５ａと、磁極部材２４の内面形状とは異なる外面形状を有して磁極部材２４に同軸に挿入されるとともに前記磁極部材２４の内面との間にウエスコポンプ５からの燃料を流通させる第２の通路３７を形成する磁極部材挿入部２５ｂとを一体に有するように形成され、前記磁極部材挿入部２５ｂの軸方向両側に、当該回転軸２５を回転自在に支持するための第１および第２の滑り軸受２６，２８に対応した軸受負荷領域Ａ１，Ａ２がそれぞれ設定されるので、ハウジング７内を燃料が流通する第２の通路３７を回転軸２５および磁極部材２４間に容易に形成してハウジング７内の通路拡大に寄与することができる。
【００４４】
また前記一対の軸受負荷領域Ａ１，Ａ２の一方Ａ１に配置される横断面円形の軸受負荷部２５ｃが、インペラ連結部２５ａに隣接しつつ一体に連なるようにして前記回転軸２５に一体に形成されるので、インペラ９と、回転軸２５のインペラ９側の回転支持部とを軸方向に近接させて燃料供給装置の軸方向コンパクト化に寄与することができる。
【００４５】
また前記一対の軸受負荷領域Ａ１，Ａ２の他方Ａ２に配置される軸受負荷部材４１が、前記磁極部材２４の前記インペラ９とは反対側の端面に当接するフランジ部４１ａを有して前記回転軸２５とは別体に形成されるとともに当該回転軸２５の他端部に嵌合、固定され、前記第２の通路３７に通じる切欠き４２が前記フランジ部４１ａに形成されるので、磁極部材２４が回転軸２５に同軸にかつ相対回転不能に連結されて成るロータ１９の製作が容易となるとともに、磁極部材２４の回転軸２５に対する軸方向位置決めができ、回転軸２５および磁極部材２４間に形成される第２の通路３７を流通する燃料がフランジ部４１ｃを通過することもできる。
【００４６】
また前記インペラ連結部２５ａが、前記回転軸２５の軸線に沿う方向に延びる平坦面３６を外周の一部に有して非円形の断面形状を有するように形成され、前記切欠き４２が、前記インペラ連結部２５ａに対する回転バランスが得られる周方向位置で前記フランジ部４１ａに形成されるので、フランジ部４１ａに形成される切欠き４２の周方向位置を定めてインペラ連結部２５ａに対する回転バランスを達成することができる。
【００４７】
また前記回転軸２５が、前記磁極部材２４の内周直径よりも小さな外径を有して前記インペラ連結部２５ａとは反対側で前記磁極部材挿入部２５ｂに同軸に連なる圧入軸部２５ｆを一体に有し、前記軸受負荷部材４１に前記圧入軸部２５ｆが圧入されるので、磁極部材２４が回転軸２５に同軸にかつ相対回転不能に連結されて成るロータ１９の製作がより容易となる。
【００４８】
また前記磁極部材挿入部２５ｂが、前記磁極部材２４の一直径線Ｌに沿う方向を長辺とする長方形の横断面形状を有するように形成されるので、磁極部材２４および回転軸２５間に第２の通路３７を形成することが容易となる。
【００４９】
また前記磁極部材２４に、前記長方形の短辺に対応した幅を有しつつ前記一直径線Ｌに沿うキー溝３９が形成され、前記磁極部材挿入部２５ｂに、前記キー溝３９に嵌合するキー部２５ｄが一体に設けられるので、回転軸２５および磁極部材２４の相対回転を容易に阻止することができる。
【００５０】
また前記長方形の短辺に対応する部分で前記磁極部材挿入部２５ｂの外周に綾目加工による凹凸部３８が形成され、少なくとも一部を樹脂製とした前記磁極部材２４が前記磁極部材挿入部２５ｂのインサート成形で形成されるので、回転軸２５および磁極部材２４の相対回転および軸方向相対移動を容易に阻止することができる。
【００５１】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００５２】
５・・・ウエスコポンプ
６・・・ブラシレスモータ
７・・・ハウジング
９・・・インペラ
１０・・・ポンプ室
１１・・・ポンプケース
１９・・・ロータ
２４・・・磁極部材
２５・・・回転軸
２５ａ・・・インペラ連結部
２５ｂ・・・磁極部材挿入部
２５ｃ・・・軸受負荷部
２５ｄ・・・キー部
２５ｆ・・・圧入軸部                                                            ２６，２８・・・軸受
３６・・・平坦面
３７・・・通路
３８・・・凹凸部
３９・・・キー溝
４１・・・軸受負荷部材
４１ａ・・・フランジ部
４２・・・切欠き
Ａ１，Ａ２・・・軸受負荷領域
Ｌ・・・磁極部材の一直径線
【図１】
2018044520.tif 000003
【図２】
2018044520.tif 000004
【図３】
2018044520.tif 000005
【図４】
2018044520.tif 000006